(57)【要約】【課題】  地震発生を受けて緊急地震速報の報知に加えて、病院建屋の劣化を判断し、その結果を看護師等に通知することを可能とする。【解決手段】  廊下灯２に接続されて病院建屋の構造体の損傷情報を入手するＡＥセンサ５と、制御機４に接続されてＡＥセンサ５が検出した損傷情報から病院の耐震度の劣化状況を分析する耐震度分析装置７とを備え、耐震度分析装置７は、地震解析装置６が地震発生情報の受信を終了したら、ＡＥセンサ５が測定した損傷情報を入手し、病院の耐震度を分析する。分析した耐震度情報は制御機４を介してナースコール親機３に送信され、ナースコール親機３が表示部３ａに表示する。【選択図】  図１
2011010699.tif 000002
【特許請求の範囲】
【請求項１】
患者が看護師を呼び出すためのナースコール子機と、前記ナースコール子機からの呼び出しを検出して報知するための廊下灯と、前記ナースコール子機からの呼び出しに応答して前記患者と通話するためのナースコール親機と、前記ナースコール子機、前記廊下灯、前記ナースコール親機の間の通信を制御する制御機と、前記制御機に接続されて気象庁等の地震管理センターから地震発生情報を受信して病院のある地域の震度、揺れが発生するまでの時間等の地域地震発生情報を解析する地震解析装置とを備え、前記地震解析装置が解析した地域地震発生情報を前記ナースコール親機が報知するナースコールシステムにおいて、
病院構造体の損傷情報を入手するＡＥセンサと、前記制御機に接続されて前記ＡＥセンサが検出した前記損傷情報から前記病院構造体の耐震度を分析する耐震度分析装置とを備え、
前記耐震度分析装置は、前記地震解析装置が前記地震発生情報を受信したら、或いは前記地震解析装置が前記地域地震発生情報を出力したら、所定のタイミングで前記ＡＥセンサが入手した損傷情報を基に病院の耐震度を分析し、分析した耐震度情報を前記制御機を介して前記ナースコール親機に送信し、前記ナースコール親機が前記耐震度情報を報知することを特徴とするナースコールシステム。
【請求項２】
前記耐震度分析装置は、前記地震解析装置が地震発生情報の受信を終了したら、前記ＡＥセンサから損傷情報を入手して耐震度を分析することを特徴とする請求項１記載のナースコールシステム。
【請求項３】
前記耐震度分析装置は常時前記ＡＥセンサから損傷情報を入手し、前記地震解析装置が前記地震発生情報を受信したら、或いは前記地震解析装置が前記地域地震発生情報を出力したら、所定のタイミングで入手した損傷情報を基に耐震度を分析することを特徴とする請求項１記載のナースコールシステム。
【請求項４】
前記ＡＥセンサを複数備えると共に、前記耐震度分析装置或いは前記制御機は個々のＡＥセンサの設置場所を記憶する場所情報記憶部を有し、前記耐震度分析装置は、分析した前記耐震度情報を場所情報と共に前記ナースコール親機に送信することを特徴とする請求項１乃至３の何れかに記載のナースコールシステム。
【請求項５】
前記ＡＥセンサは複数の前記廊下灯に接続され、前記廊下灯は、前記ＡＥセンサから入手した前記損傷情報に自身のＩＤを場所情報として付加して前記耐震度分析装置に送信することを特徴とする請求項１乃至３の何れかに記載のナースコールシステム。
【請求項６】
前記耐震度分析装置は、分析した前記耐震度情報が所定値以下の軽微な損傷である場合は、前記ナースコール親機に耐震度情報を送信しないことを特徴とする請求項１乃至５の何れかに記載のナースコールシステム。
【発明の詳細な説明】
【技術分野】
【０００１】
本発明は、緊急地震速報を報知する機能を備えたナースコールシステムに関する。
【背景技術】
【０００２】
地震が発生すると、地震発生直後に震源に近い地震観測点で観測される初期微動（Ｐ破）の波形を解析し、気象庁等から解析した情報が発せられて、各地域での震度や主要波であるＳ波の到達時間を知らせる所謂緊急地震速報を行うシステムの運用が開始された。
ナースコールシステムにおいても、このシステムを接続して病院の位置する場所での震度及び何秒後に地震が発生するかを地震解析装置で解析し、解析結果をナースコール親機等に通知するナースコールシステムがある（例えば、特許文献１参照）。
これにより、看護師は揺れが発生する前に地震の発生を把握することができ、重傷な患者の場所を把握して、必要な処置を講ずる等の対策をとることが可能となった。
【先行技術文献】
【特許文献】
【０００３】
【特許文献１】特開２００８−２１１６５８号公報
【特許文献２】特開平１１−６４０９８号公報
【発明の概要】
【発明が解決しようとする課題】
【０００４】
しかしながら、上記従来のナースコールシステムでは、まもなく地震波が到達して揺れが発生することを知ることができても、地震が発生した結果、揺れによる被害がどの程度であったか、具体的に病院建屋自体の耐震性能の劣化具合がどの程度か把握することができなかった。そのため、壁面に亀裂が入ったような場合等それがどの程度の損傷か、耐震性能に重大な影響が発生したのか病院関係者は判断できず、専門業者による診断を待たなければならなかった。そのため、耐震補強等の対策もスムーズに実施することができなかった。
【０００５】
そこで、本発明はこのような問題点に鑑み、地震発生を受けて緊急地震速報の報知に加えて、病院建屋の劣化を速やかに判断し、その結果を看護師等に通知することを可能としたナースコールシステムを提供することを目的としている。
【課題を解決するための手段】
【０００６】
上記課題を解決する為に、請求項１の発明は、患者が看護師を呼び出すためのナースコール子機と、ナースコール子機からの呼び出しを検出して報知するための廊下灯と、ナースコール子機からの呼び出しに応答して患者と通話するためのナースコール親機と、ナースコール子機、廊下灯、ナースコール親機の間の通信を制御する制御機と、制御機に接続されて気象庁等の地震管理センターから地震発生情報を受信して病院のある地域の震度、揺れが発生するまでの時間等の地域地震発生情報を解析する地震解析装置とを備え、地震解析装置が解析した地域地震発生情報をナースコール親機が報知するナースコールシステムにおいて、病院構造体の損傷情報を入手するＡＥセンサと、制御機に接続されてＡＥセンサが検出した損傷情報から病院構造体の耐震度を分析する耐震度分析装置とを備え、耐震度分析装置は、地震解析装置が地震発生情報を受信したら、或いは地震解析装置が地域地震発生情報を出力したら、所定のタイミングでＡＥセンサが入手した損傷情報を基に病院の耐震度を分析し、分析した耐震度情報を制御機を介してナースコール親機に送信し、ナースコール親機が耐震度情報を報知することを特徴とする。
この構成によれば、地震管理センターが発信する地震発生情報を受けて、ナースコール親機で地域地震発生情報が報知される。そして、地域地震発生情報の報知に連動して耐震度分析装置が、ＡＥセンサが測定した病院建屋の構造体損傷情報を基に病院建屋の耐震度を分析してナースコール親機から報知する。よって、看護師等の病院関関係者は地震の直後に病院の損傷状況を把握でき、適切な判断をすることができるし、補強工事等を行うにあたって必要な情報を得ることが可能となる。
尚、ＡＥセンサや耐震度分析装置は公知であり、例えば特許文献２に開示されている。また、ＡＥセンサの製品としては、株式会社ジャスト製のスマートＡＥセンサがある。
【０００７】
請求項２の発明は、請求項１に記載の構成において、耐震度分析装置は、地震解析装置が地震発生情報の受信を終了したら、ＡＥセンサから損傷情報を入手して耐震度を分析することを特徴とする。
この構成によれば、地震発生情報の送信が終了したら、即ち地震の終了を待ってＡＥセンサからデータを収集するので、確実に地震による損傷情報を入手して確度の高い耐震度情報を得ることができる。
【０００８】
請求項３の発明は、請求項１に記載の構成において、耐震度分析装置は常時ＡＥセンサから損傷情報を入手し、地震解析装置が地震発生情報を受信したら、或いは地震解析装置が地域地震発生情報を出力したら、所定のタイミングで入手した損傷情報を基に耐震度を分析することを特徴とする。
この構成によれば、ＡＥセンサから情報を常時入手するため、ＡＥセンサの故障等を逐次確認することができ、地震発生時に耐震度情報を送信出来ないような事態を防止できる。また、直下型の地震で地震発生情報の発信が間に合わない状況でも損傷情報の入手が可能となる。
【０００９】
請求項４の発明は、請求項１乃至３の何れかに記載の構成において、ＡＥセンサを複数備えると共に、耐震度分析装置或いは制御機は個々のＡＥセンサの設置場所を記憶する場所情報記憶部を有し、耐震度分析装置は、分析した耐震度情報を場所情報と共にナースコール親機に送信することを特徴とする。
この構成によれば、複数の場所にＡＥセンサを設置することで、より細かい損傷情報を入手することができる。そして、ＡＥセンサの場所も認識できるので、病院内のどの場所の強度が不足しているかを把握することができる。
【００１０】
請求項５の発明は、請求項１乃至３の何れかに記載の構成において、ＡＥセンサは複数の廊下灯に接続され、廊下灯は、ＡＥセンサから入手した損傷情報に自身のＩＤを場所情報として付加して耐震度分析装置に送信することを特徴とする。
この構成によれば、ＡＥセンサは病室毎に設置されている廊下灯に接続すれば良いため、最寄りの廊下灯まで配線すれば良く、短い距離で済む。また、ＡＥセンサの場所情報を廊下灯のＩＤ情報で管理するため、ＡＥセンサを複数設置しても管理し易く、病院内のどの場所の強度が不足しているかを容易に把握することができる。
【００１１】
請求項６の発明は、請求項１乃至５の何れかに記載の構成において、耐震度分析装置は、分析した耐震度情報が所定値以下の軽微な損傷である場合は、前記ナースコール親機に耐震度情報を送信しないことを特徴とする。
この構成によれば、地域地震発生情報が報知されても、損傷がないか軽微であれば、耐震度情報は報知されない。よって、看護師に余計な不安を与えないで済む。
【発明の効果】
【００１２】
本発明によれば、地震発生情報を受けて地震が発生した直後に耐震度分析装置から病院の耐震度情報がナースコール親機に送信され報知される。よって、看護師等の病院関係者は地震の直後に病院建屋の損傷状況を把握でき、適切な判断をすることができるし、補強工事等を行うにあたって必要な情報を得ることが可能となる。
【図面の簡単な説明】
【００１３】
【図１】本発明に係るナースコールシステムの一例を示す構成図である。
【図２】図１のシステムの地震発生情報を受信した動作の流れを示すタイムチャートである。
【図３】図１のナースコール親機の画面表示例を示し、（ａ）は地域地震発生情報を表示した状態、（ｂ）は耐震度情報を表示した状態である。
【発明を実施するための形態】
【００１４】
以下、本発明を具体化した実施の形態を、図面を参照して詳細に説明する。図１は本発明に係るナースコールシステムの一例を示す構成図であり、１は患者が看護師を呼び出すために病室のベッド毎に設置されたナースコール子機、２は病室内のナースコール子機１からの呼び出しを検出して報知するために病室毎に出入口付近に設置された廊下灯、３はナースコール子機１からの呼び出しに応答して患者と通話するためにナースステーションに設置されたナースコール親機、４はナースコール子機１と廊下灯２とナースコール親機３の間の通信を制御する制御機、５は病院の構造体に設置され、構造体の損傷情報を入手するためのＡＥセンサ、６は本発明のナースコールシステムが設置される病院のある地域の震度・揺れが発生するまでの時間を、気象庁等の地震管理センターＷからの情報を基に解析して地域地震発生情報を発信する地震解析装置、７はＡＥセンサ５が検出した構造体の損傷情報から病院の耐震度の劣化を分析するための耐震度分析装置である。
【００１５】
尚、Ｘは震源地を示し、地震が発生したら、地震管理センターＷは震源地Ｘの近くの複数の観測点から情報を入手し、この情報を基に震源地、地震の規模等の地震発生情報を発信する。この情報をインターネットＮ等を介して地震解析装置６が受信し、地震解析装置６が設置された地域での揺れの大きさや到達時間が解析される。
【００１６】
ナースコール子機１は伝送線Ｌ１により病室毎に廊下灯２に接続され、廊下灯２は廊下灯幹線Ｌ２により制御機４に接続されている。また、ナースコール親機３は伝送線Ｌ３により制御機４に接続され、地震解析装置６、耐震度分析装置７は個々に伝送線Ｌ４，Ｌ５により制御機４に接続されている。更に、地震解析装置６と耐震度分析装置間７の間も伝送線Ｌ６で接続され、ＡＥセンサ５は伝送線Ｌ７を介して各廊下灯２に接続されている。
【００１７】
このように構成されたナースコールシステムは次のように動作する。但し、患者がナースコール子機１を使用した看護師を呼び出す動作、呼び出しに対してナースコール親機３から看護師が応答する動作は従来と同様であるため説明を省略し、ここでは地震解析装置６が地震管理センターＷから地震発生情報を受信した場合の動作を説明する。
【００１８】
図２は、地震解析装置６が地震発生情報を受信してからの動作の流れを示すタイムチャートであり、この図に基づいて説明する。まず、震源地Ｘにおいて、例えば震度６の地震が発生したとすると、その情報が地震管理センターＷにて収集され、地震発生情報としてインターネットＮ等を介して地震解析装置６に送信される。地震解析装置６は、各地域に設置されているものであって、震源地Ｘの震度や距離等の情報から当該地域における震度、揺れが発生するまでの時間等の地域地震発生情報を演算して求め、この結果を地域地震発生情報として接続されているナースコールシステムの制御機４に送信する（Ｓ１）。
【００１９】
地域地震発生情報を受信した制御機４は、この情報をナースコール親機３に送信（Ｓ２）し、ナースコール親機３は、表示部３ａに受信した地域地震発生情報を表示する。図３（ａ）はこの表示部３ａの表示を示し、「地震！震度４！１０秒後」といったメッセージが表示される。また、合わせて警報音が報音される。この表示と警報音により、看護師はまもなく地震が来ることを認識でき、重症患者の確認や窓を開ける等の対応をおこなうことができる。
【００２０】
地震が収まり、地震管理センターＷからの地震発生情報の発信が終了すると、制御機４からナースコール親機３に終了信号が送信される（Ｓ３）。これを受けて、ナースコール親機３は報知を終了する。また終了信号を出力した制御機４は、ＡＥセンサ５にデータ要求信号を送信する（Ｓ４）。データ要求信号は廊下灯２に送信され、廊下灯２はこの信号を受信したら接続されているＡＥセンサ５にデータ要求信号を出力する。
ＡＥセンサ５は、この信号を受けて地震発生中に検出した病院構造体の損傷情報である測定データを廊下灯２に送信する（Ｓ５）。尚、ＡＥセンサ５は常時構造体のデータ（損傷情報）を収集し、例えば過去１０分間のデータを常に保持しており、データ要求信号を受けてこのデータを出力する。
【００２１】
廊下灯２は、測定データを受信すると、このデータに廊下灯２のＩＤを付与して制御機４に送信する（Ｓ６）。測定データの送信を受けた制御機４は、耐震度分析装置７へこの測定データを送信する（Ｓ７）。耐震度分析装置７は、ＡＥセンサ５の測定データを入手したら、測定データから病院構造体の損傷具合を分析する。尚、測定データは各廊下灯２から送信され、廊下灯毎（病室毎）に損傷具合が分析される。
こうして、全てのＡＥセンサ５の測定データを分析した耐震度分析装置７は、分析結果から病院全体の耐震度を判断して耐震度情報を生成し、この耐震度情報を制御機４に送信する（Ｓ８）。
【００２２】
制御機４は、この耐震度情報をナースコール親機３に送信し（Ｓ９）、ナースコール親機３は、受信した耐震度情報を表示部３ａに表示する。図３（ｂ）はこの耐震度情報を表示したナースコール親機３の表示部３ａを示し、所定の強度に満たないと判定された場合の表示を示している。この表示は、耐震度情報の内容、即ち損傷の程度により変更され、強度を満たしている場合には「耐震強度に問題ありません」等のメッセージが表示される。
【００２３】
尚、損傷の程度が軽微で耐震強度が引き続き満たされている場合は、耐震度情報を出力せずナースコール親機３に通知しないよう耐震度分析装置７を設定しても良い。この場合、看護師等の確認操作を受けて通知するようにしても良く、病院関係者に余計な不安を与えないで済む。また、耐震度情報の報知を行うか否かの閾値の設定は、制御機４に設けても良い。
【００２４】
また耐震度情報の表示後、ナースコール親機３の所定の操作により、耐震度分析装置７から全てのＡＥセンサ５の分析結果を入手することができる。所定の操作で、分析結果要求信号が制御機４を介して耐震度分析装置７に出力されると、耐震度分析装置７は個々のＡＥセンサ５に対応する分析結果を制御機４を介してナースコール親機３に出力する。送信される分析結果には、測定データに添付された場所情報である廊下灯ＩＤ情報も引き続き添付され、受信したナースコール親機３の表示部３ａには廊下灯ＩＤに基づく場所情報と分析結果の一覧が表示される。
【００２５】
このように、緊急地震速報に連動して病院建屋の構造体損傷情報を入手して耐震度が分析されるので、看護師等の病院関係者は地震直後に病院の損傷状況を把握できる。また、補強工事等を行うにあたって必要な情報を得ることが可能となる。
また、地震発生情報の送信が終了したら、即ち地震の終了を待ってＡＥセンサ５からデータを収集するので、確実に地震による損傷情報を入手して確度の高い耐震度情報を得ることができる。
更に、ＡＥセンサ５を病室毎に設置されている個々の廊下灯２に接続することで、より細かい強度情報を入手することができるし、ＡＥセンサ５の場所情報を廊下灯２のＩＤ情報で管理するため、管理し易く病院内のどの場所の強度が不足しているかを容易に把握することができる。更に、ＡＥセンサ５は最寄りの廊下灯２まで配線すれば良く、短い距離で済む。
【００２６】
尚、上記実施形態では、制御機４がＡＥセンサ５を制御しているが、ナースコール親機３に制御させても良い。
また、ＡＥセンサ５を各廊下灯２に設置して病室毎に損傷情報を収集しているが、ＡＥセンサ５は、病院の主要構造体にのみ設けるだけでも強度を把握するには有効である。このように病室毎に設けない場合は、ＡＥセンサ５は一括して耐震度分析装置７或いは制御機４に接続しても良い。この場合、ＡＥセンサ５の設置場所を記憶する場所情報記憶部を耐震度分析装置７或いは制御機４に設ければ、廊下灯２に接続した場合と同様に個々にＡＥセンサ５の場所を把握できる。
【００２７】
また、上記実施形態では、地震発生情報の受信を終了したら測定データを入手して分析しているが、ＡＥセンサ５を常時動作させて、耐震度分析装置７に常時測定データを収集させても良く、この場合ＡＥセンサ５の故障等を逐次確認することができ、地震発生時に耐震度情報を送信出来ないような事態を防止できる。また、直下型の地震で地震発生情報の発信が間に合わない状況でも損傷情報の入手が可能となる。
更に、地域地震発生情報の終了信号をトリガーとせず、地震発生信号や地域地震発生信号が送出されたら、予め設定した時間が経過したら自動的にＡＥセンサ５から測定データを入手して分析を開始しても良い。
【符号の説明】
【００２８】
１・・ナースコール子機、２・・廊下灯、３・・ナースコール親機、３ａ・・表示部、４・・制御機、５・・ＡＥセンサ、６・・地震解析装置、７・・耐震度分析装置。
【図１】
2011010699.tif 000003
【図２】
2011010699.tif 000004
【図３】
2011010699.tif 000005